(57)【特許請求の範囲】
【請求項１】
原稿を載置する原稿載置面を形成する原稿台と、
前記原稿台の上面を開閉する開閉体と、
前記開閉体の開き角を保持する角度保持手段を備えるとともに、前記原稿載置面に対して前記開閉体を昇降させるヒンジ機構と、を備え、
前記ヒンジ機構は、内部に前記角度保持手段を備えるとともに、前記原稿台の側に設けられた挿入部に対し、前記開閉体の昇降方向に変位可能に挿入されるケースを有し、
前記ケースは、前記昇降方向成分を含む方向に延設されるとともに前記昇降方向と交差する方向に弾性変形可能な腕部を備え、
前記腕部が前記挿入部に設けられた被当接部に対し弾性的に当接して、前記開閉体の前記昇降方向における位置が保持される、
ことを特徴とする画像読取装置。
【請求項２】
請求項１に記載の画像読取装置において、前記腕部に、前記昇降方向成分を含む方向に沿ってリブが形成され、
前記リブが前記被当接部に当接して前記腕部が弾性変形する、
ことを特徴とする画像読取装置。
【請求項３】
請求項２に記載の画像読取装置において、前記腕部は、先端が自由端として形成されるとともに、前記開閉体が上昇方向に変位するに従って前記被当接部と当接する部位が前記自由端に向かい、
前記リブは、前記開閉体が上昇方向に変位するに従って前記被当接部に当接する部位の前記昇降方向と交差する方向の厚みが増す形状を有する、
ことを特徴とする画像読取装置。
【請求項４】
請求項１から請求項３のいずれか一項に記載の画像読取装置において、前記腕部に、前記ケースの前記挿入部からの抜け出しを規制する規制部が設けられている、
ことを特徴とする画像読取装置。
【請求項５】
請求項１から請求項４のいずれか一項に記載の画像読取装置において、前記開閉体は、回動軸を中心に回動することにより前記原稿台の上面を開閉し、
前記腕部は、前記ケースにおいて、前記回動軸の軸線方向の側部に設けられている、
ことを特徴とする画像読取装置。
【請求項６】
請求項５に記載の画像読取装置において、前記腕部は、前記ケースにおいて前記回動軸の軸線方向の両側部に設けられている、
ことを特徴とする画像読取装置。
【請求項７】
請求項１から請求項６のいずれか一項に記載の画像読取装置において、前記腕部は、前記ケースと樹脂材料によって一体的に形成されている、
ことを特徴とする画像読取装置。
【発明の詳細な説明】
【技術分野】
【０００１】
本発明は、スキャナ等に代表される画像読取装置に関する。
【背景技術】
【０００２】
スキャナ等に代表される画像読取装置には、原稿台を開閉するとともに閉じた状態においては原稿を押さえる開閉体が設けられ、この開閉体は、単なるカバーの場合や、或いは原稿の自動搬送装置（ＡＤＦ（Auto Document Feeder）とも呼ばれる）の場合がある。
【０００３】
いずれにせよ原稿を開閉する開閉体は、原稿台に対して回動可能であるとともに、所定の回動角（開き角）で保持可能な様に、所謂フリーストップヒンジなどと呼ばれるヒンジ機構で連結される場合がある（例えば、特許文献１、２）。そして更に、厚手の原稿（例えば、書籍）に対応可能なように、開閉体のリフトアップ機能も提供される場合がある（例えば、特許文献３、４）。
【先行技術文献】
【特許文献】
【０００４】
【特許文献１】特開２００３−１２９７３９号公報
【特許文献２】特開２０１１−１１２９６７号公報
【特許文献３】特開２０１３−０２０１９１号公報
【特許文献４】特開２０１０−０３９０２７号公報
【発明の概要】
【発明が解決しようとする課題】
【０００５】
ここで、フリーストップ機能とリフトアップ機能との実現に加え、更に所定のリフトアップ位置を保持したいという要請もある。その様な要請に対応する為には、上記特許文献３記載の構成の様に構成が複雑化し、著しいコストアップと重量増を招く虞がある。  
そこで本発明は以上の様な状況に鑑み成されたものであり、その目的は、より簡易な構成でコストアップを抑えたヒンジ機構を提供することにある。
【課題を解決するための手段】
【０００６】
上記課題を解決する為の、本発明の第１の態様に係る画像読取装置は、原稿を載置する原稿載置面を形成する原稿台と、前記原稿台の上面を開閉する開閉体と、前記開閉体の開き角を保持する角度保持手段を備えるとともに、前記原稿載置面に対して前記開閉体を昇降させるヒンジ機構と、を備え、前記ヒンジ機構は、内部に前記角度保持手段を備えるとともに、前記原稿台の側に設けられた挿入部に対し、前記開閉体の昇降方向に変位可能に挿入されるケースを有し、前記ケースは、前記昇降方向成分を含む方向に延設されるとともに前記昇降方向と交差する方向に弾性変形可能な腕部を備え、前記腕部が前記挿入部に設けられた被当接部に対し弾性的に当接して、前記開閉体の前記昇降方向における位置が保持されることを特徴とする。
【０００７】
本態様によれば、ヒンジ機構はケースを有し、前記ケースは、前記昇降方向成分を含む方向に延設されるとともに前記昇降方向と交差する方向に弾性変形可能な腕部を備え、前記腕部が前記挿入部に設けられた被当接部に対し弾性的に当接して、前記開閉体の前記昇降方向における位置が保持される構成であるので、前記開閉体（前記ケース）の昇降位置（リフトアップ位置）を保持する構成を、構造簡単にして低コストに得ることができる。
【０００８】
本発明の第２の態様は、第１の態様において、前記腕部に、前記昇降方向成分を含む方向に沿ってリブが形成され、前記リブが前記被当接部に当接して前記腕部が弾性変形することを特徴とする。
【０００９】
本態様によれば、前記腕部に、前記昇降方向成分を含む方向に沿ってリブが形成され、前記リブが前記被当接部に当接して前記腕部が弾性変形する構成であるので、前記リブの厚みを調整することで、前記腕部の弾性変形量を容易に調整することができ、ひいては前記開閉体（前記ケース）を保持する為の保持力を容易に調整することができる。
【００１０】
本発明の第３の態様は、第２の態様において、前記腕部は、先端が自由端として形成されるとともに、前記開閉体が上昇方向に変位するに従って前記被当接部と当接する部位が前記自由端に向かい、前記リブは、前記開閉体が上昇方向に変位するに従って前記被当接部に当接する部位の前記昇降方向と交差する方向の厚みが増す形状を有することを特徴とする。
【００１１】
前記開閉体が上昇方向に変位する（リフトアップする）と、前記腕部において前記被当接部と当接する部位は、前記腕部の自由端側に移動する為、前記腕部が前記被当接部に弾接する際の弾接力が小さくなり、前記開閉体を保持し難くなる。  
しかしながら本態様によれば、前記リブは、前記開閉体が上昇方向に変位するに従って前記被当接部に当接する部位の前記昇降方向と交差する方向の厚みが増す形状を有するので、前記開閉体が上昇方向に変位するに従って前記腕部の弾性変形量を確保することができ、前記開閉体を確実に保持することができる。  
尚、「前記リブの、前記昇降方向と交差する方向の厚みが増す形状」とは、必ずしも連続的に厚みが増す形状のみを意味するものではなく、例えば段階的に厚みが増す形状をも含む意味である。
【００１２】
本発明の第４の態様は、第１から第３の態様のいずれかにおいて、前記腕部に、前記ケースの前記挿入部からの抜け出しを規制する規制部が設けられていることを特徴とする。  
本態様によれば、前記腕部に、前記ケースの前記挿入部からの抜け出しを規制する規制部が設けられているので、前記ケース即ち前記開閉体の、前記原稿台からの意図しない脱落を防止できる。
【００１３】
本発明の第５の態様は、第１から第４の態様のいずれかにおいて、前記開閉体は、回動軸を中心に回動することにより前記原稿台の上面を開閉し、前記腕部は、前記ケースにおいて、前記回動軸の軸線方向の側部に設けられていることを特徴とする。
【００１４】
本態様によれば、前記開閉体は、回動軸を中心に回動することにより前記原稿台を開閉し、前記腕部は、前記ケースにおいて、前記回動軸の軸線方向の側部に設けられているので、前記原稿台の側において前記ヒンジ機構を挿入する挿入部の、前記軸線方向と直交する方向の大型化を抑制できる。その結果、前記原稿台の、前記軸線方向と直交する方向の大型化を抑制できる。
【００１５】
本発明の第６の態様は、第５の態様において、前記腕部は、前記ケースにおいて前記回動軸の軸線方向の両側部に設けられていることを特徴とする。  
本態様によれば、前記腕部は、前記ケースにおいて前記回動軸の軸線方向の両側部に設けられているので、前記腕部の、前記挿入部における回転を抑制でき、ひいては前記原稿台に対する前記開閉体のがたつきを抑制できる。
【００１６】
本発明の第７の態様は、第１から第６の態様のいずれかにおいて、前記腕部は、前記ケースと樹脂材料によって一体的に形成されていることを特徴とする。  
本態様によれば、前記腕部は、前記ケースと樹脂材料によって一体的に形成されているので、前記腕部と前記ケースを低コストに構成できる。
【図面の簡単な説明】
【００１７】
【図１】本発明に係る画像読取装置の外観斜視図。
【図２】画像読取装置において筐体に対してＡＤＦを開いた姿勢とした状態を正面側から見た斜視図。
【図３】画像読取装置において筐体に対してＡＤＦを開いた姿勢とした状態を背面側から見た斜視図。
【図４】画像読取装置において筐体に対してＡＤＦをリフトアップした状態を示す斜視図。
【図５】本発明に係る画像読取装置において筐体の内部構造を示す斜視図。
【図６】本発明に係るヒンジ部を示す斜視図。
【図７】本発明に係るヒンジ部の分解斜視図。
【図８】ＡＤＦを筐体に対してリフトアップする前のヒンジ部の状態を示す断面図。
【図９】ＡＤＦを筐体に対してリフトアップした際のヒンジ部の状態を示す断面図。
【図１０】図９におけるヒンジ部の腕部の断面図。
【図１１】ＡＤＦを筐体に対して閉じた姿勢とした際のヒンジ部における角度保持手段の側断面図。
【図１２】ＡＤＦを筐体に対して開いた姿勢とした際のヒンジ部における角度保持手段の側断面図。
【図１３】ヒンジ部の変更例を示す断面図。
【発明を実施するための形態】
【００１８】
以下、本発明の実施の形態を図面に基づいて説明する。尚、各実施例において同一の構成については、同一の符号を付し、最初の実施例においてのみ説明し、以後の実施例においてはその構成の説明を省略する。
【００１９】
図１は本発明に係る画像読取装置の外観斜視図であり、図２は画像読取装置において筐体に対してＡＤＦを開いた姿勢とした状態を正面側から見た斜視図であり、図３は画像読取装置において筐体に対してＡＤＦを開いた姿勢とした状態を背面側から見た斜視図であり、図４は画像読取装置において筐体に対してＡＤＦをリフトアップした状態を示す斜視図であり、図５は本発明に係る画像読取装置において筐体の内部構造を示す斜視図であり、図６は本発明に係るヒンジ部を示す斜視図であり、図７は本発明に係るヒンジ部の分解斜視図である。
【００２０】
また、図８はＡＤＦを筐体に対してリフトアップする前のヒンジ部の状態を示す断面図であり、図９はＡＤＦを筐体に対してリフトアップした際のヒンジ部の状態を示す断面図であり、図１０は図９におけるヒンジ部の腕部の断面図であり、図１１はＡＤＦを筐体に対して閉じた姿勢とした際のヒンジ部における角度保持手段の側断面図であり、図１２はＡＤＦを筐体に対して開いた姿勢とした際のヒンジ部における角度保持手段の側断面図であり、図１３はヒンジ部の変更例を示す断面図である。
【００２１】
各図において示すＸ−Ｙ−Ｚ座標系はＸ方向が画像読取部の主走査方向かつ装置奥行き方向、Ｙ方向が副走査方向かつ装置幅方向、Ｚ方向が装置高さ方向を示している。尚、本明細書において＋Ｘ軸方向側を装置背面側とし、−Ｘ軸方向側を装置前面側とし、−Ｙ軸方向側を装置幅方向右側とし、＋Ｙ軸方向側を装置幅方向左側とする。
【００２２】
■■■実施例■■■■
＜＜＜画像読取装置の概要＞＞＞
図１ないし図４を参照して、画像読取装置１０について説明する。画像読取装置１０は、筐体１２と、「開閉体」としてのオートドキュメントフィーダー（ＡＤＦ）１４（以下、「ＡＤＦ１４」）とを備えている。ＡＤＦ１４は、筐体１２の上面１２ａ及び原稿台２２に対して閉じた姿勢（図１参照）と、上面１２ａ及び原稿台２２を開放する姿勢（図２及び図３参照）とを切換え可能に構成されている。より具体的には、ＡＤＦ１４は、筐体１２の装置背面側に設けられた、「ヒンジ機構」としてのヒンジ部１８、１９を介して筐体１２に対して揺動可能に接続されている。つまり、ＡＤＦ１４は、装置前面側の端部を自由端として筐体１２に対して回動して開閉する。尚、ヒンジ部１８、１９については後ほど、詳細に説明する。
【００２３】
また、図４に示すように、ＡＤＦ１４は、ヒンジ部１８により、後述する原稿台２２に対して略平行な姿勢を保ったまま（或いは傾斜姿勢の状態においても）、装置高さ方向に接離（リフトアップ及びリフトダウン）可能に構成されている。この動作については、後ほどヒンジ部１８の詳細な説明とともに説明する。
【００２４】
筐体１２は、上面１２ａと操作部２０とを備えている（図２参照）。本実施例において上面１２ａには、原稿台２２が設けられている。原稿台２２は、平坦かつ透明なガラス板として構成されており、その上面は原稿載置面２３として構成されている。そして、原稿台２２、すなわち原稿載置面２３に画像を読み取る原稿を載置可能である。
【００２５】
また、本実施例において原稿台２２の−Ｙ方向側の端部は、一例として後述する原稿読取ユニット２４（図５参照）が原稿台２２に載置された原稿を読み取るための装置幅方向における基準位置として設定されている。尚、原稿載置面２３の周囲、つまり上面１２ａは原稿台２２より一段高くなっており、これにより原稿台２２の−Ｙ方向側の端部に対し、原稿角部を突き当てて位置決めすることができる様になっている。
【００２６】
また、筐体１２において装置前面側（図１及び図２における−Ｘ軸方向側）には操作部２０が設けられている。操作部２０は、画像読取装置１０を操作するための電源スイッチや設定切換ボタン等を備えて構成されている。
【００２７】
ＡＤＦ１４は、原稿押さえ部材２６と、原稿支持トレイ２８と、原稿搬送部３０と、原稿排出トレイ３２とを備えている。原稿搬送部３０は、ＡＤＦ１４が筐体１２に対して閉じられている状態（図１参照）において原稿支持トレイ２８に支持された原稿を搬送し、筐体１２の上部に設けられた原稿載置面２３（図２参照）において原稿の被読み取り面を後述する原稿読取ユニット２４（図５参照）に読み取らせた後、原稿を原稿排出トレイ３２に向けて排出する。
【００２８】
ＡＤＦ１４の下面、すなわち原稿台２２と対向する側には、原稿押さえ部材２６が設けられている。原稿押さえ部材２６は例えばスポンジのような弾性体により構成されている。原稿押さえ部材２６は、ＡＤＦ１４が原稿台２２に対して閉じた姿勢（図１参照）となった際、原稿載置面２３に載置された原稿を当該原稿が原稿載置面２３から浮かないように原稿載置面２３と反対側から一様に押圧する。そして、原稿押さえ部材２６により押圧された原稿の被読取面が原稿載置面２３に密着する。尚、本実施例において原稿押さえ部材２６の大きさは、原稿載置面２３において原稿搬送部３０により搬送された原稿を読み取る領域を除いた領域を押さえられる大きさに設定されている。
【００２９】
＜＜＜筐体内の構成について＞＞＞
図５を参照して筐体１２内の構成について説明する。筐体１２は、上述した原稿台２２、原稿載置面２３及び操作部２０に加えて、原稿読取ユニット２４と、原稿読取ユニット駆動手段３４と、電源部３６と、制御部３８とを備えている。
【００３０】
本実施例において原稿読取ユニット２４は、主走査方向である装置奥行き方向に延設されており、原稿台２２の装置奥行き方向における長さに対応している。本実施例において原稿読取ユニット２４は、原稿台２２の原稿載置面２３に載置された原稿に光を照射し、該原稿からの反射光を受光して原稿の情報を読み取る光学ユニットとして構成されている。
【００３１】
そして、原稿読取ユニット２４は、原稿読取ユニット駆動手段３４により副走査方向である装置幅方向に往復動可能に構成されている。また、筐体１２において装置奥行き方向
における中央領域には装置幅方向に延び、原稿読取ユニット２４の下部の少なくとも一部と係合するガイドレール４０が設けられている。
【００３２】
また、原稿読取ユニット駆動手段３４は、駆動モーター４２と、駆動力伝達手段４４と、駆動プーリー４６と、従動プーリー４８と、歯付きベルト５０とを備えている。また、歯付きベルト５０の少なくとも一部は、原稿読取ユニット２４に把持されている。図５に示すように、駆動プーリー４６は装置幅方向右側端部に設けられており、従動プーリー４８は、駆動プーリー４６の回転に対して従動動作可能に装置幅方向左側端部に設けられている。また、駆動プーリー４６と従動プーリー４８との間には、歯付きベルト５０が掛け回されている。
【００３３】
駆動力伝達手段４４は複数の歯車を備え、駆動モーター４２の駆動力を駆動プーリー４６に伝達する。これにより、駆動プーリー４６が回転駆動され、歯付きベルト５０も駆動プーリー４６の回転に応じて回転する。その結果、原稿読取ユニット２４は原稿読取ユニット駆動手段３４により装置幅方向に駆動させられる。その際、原稿読取ユニット２４は、該原稿読取ユニット２４の少なくとも一部とガイドレール４０とが係合しているので、ガイドレール４０に案内されて装置幅方向へ移動する。
【００３４】
図５において原稿読取ユニット２４の装置幅方向における位置は、原稿載置面２３に載置された原稿を読み取るための装置幅方向における基準位置に対応している。すなわち、図５において原稿読取ユニット２４は、原稿台２２の原稿載置面２３に載置された原稿を読み取るための原点位置に位置している。
【００３５】
また、筐体１２の底面１２ｂにおいて、ガイドレール４０よりも装置背面側の領域には制御部３８が設けられている。制御部３８は、複数の電子部品を有する回路基板を備えて構成され、画像読取装置１０における画像読取動作の制御、ＡＤＦ１４の制御、操作部２０からの入力処理、及び外部機器との通信を行う。また、制御部３８には原稿読取ユニット２４の装置奥行き方向の両端部から延出する、可撓性を有する一対の信号伝送用ケーブル５２、５４が接続されている。
【００３６】
信号伝送用ケーブル５２、５４は原稿読取ユニット２４の装置幅方向への移動動作に応じて追従変形するように構成されている。本実施例において信号伝送用ケーブル５２はアナログ信号を伝送し、信号伝送用ケーブル５４はデジタル信号を伝送するように構成されている。
【００３７】
図５において電源部３６は、筐体１２の装置背面側かつ装置幅方向右側端部に配置されている。本実施例において、電源部３６は不図示の電源ケーブルから供給される交流電流を直流電流に変換する整流回路を備えている。
【００３８】
＜＜＜ヒンジ部の構成について＞＞＞
次いで、図６ないし図１２を参照してヒンジ部１８について説明する。ヒンジ部１９についてはヒンジ部１８の説明が終わった後に説明する。尚、図８及び図９ではＡＤＦ１４の図示が省略され、図１１及び図１２では、筐体１２及びＡＤＦ１４の図示が省略されている。
【００３９】
図６及び図７に示すようにヒンジ部１８はケース５６と、角度保持手段５８とを備えている。ケース５６は、装置高さ方向上方側が開口する箱状に形成されており、その内部に角度保持手段５８を収容するケース本体５６ａと、ケース本体５６ａに一体的に形成された腕部６４、６４とを備えている。
【００４０】
ケース５６には、ケース５６から装置幅方向に突出した後、装置高さ方向下方側に向きを変えて延びる腕部６４、６４が設けられている。本実施例において、ケース５６には、一対の腕部６４、６４がケース本体５６ａの装置幅方向両側に設けられている。腕部６４において装置高さ方向に延設された部分には、リブ６６、６６が設けられている。
【００４１】
リブ６６は、腕部６４の装置高さ方向に延設された部分において、ケース５６のケース本体５６ａの側と反対側の面に設けられ、装置高さ方向に沿って延びている。さらに、腕部６４の装置高さ方向に延設された部分の下端部は自由端６４ａとして構成されている。したがって、腕部６４の自由端６４ａにおいてケース本体５６ａ側に押圧力が作用すると、腕部６４の自由端６４ａはケース本体５６ａ側に弾性的に変形する。また、自由端６４ａには規制部６８が設けられている。
【００４２】
ケース５６は、一例としてＰＯＭ（ポリオキシメチレン）のような樹脂材料で形成されている。そして、本実施例において腕部６４はケース５６と樹脂材料で一体的に形成されている。
【００４３】
ケース本体５６ａの上部には、装置幅方向において間隔をおいて対向する側壁部５６ｂ、５６ｃが装置高さ方向上方に向けて立設している。そして、側壁部５６ｂ、５６ｃには、装置幅方向にそれぞれ貫通孔７０、７０が設けられている。側壁部５６ｂに設けられた貫通孔７０と側壁部５６ｃに設けられた貫通孔７０とは同軸状に配置されている。
【００４４】
図７に示すように角度保持手段５８は、カム部材７２と、スライダ部材７４と、付勢部材７６と、回動軸７８とを備えている。図１０に示すように、ケース５６のケース本体５６ａ内には、装置高さ方向下方側から付勢部材７６、スライダ部材７４、カム部材７２の順に配置されている。付勢部材７６の一端部は、ケース本体５６ａ内の底面と係合しており、他端部はスライダ部材７４と係合している。そして、付勢部材７６は、スライダ部材７４を装置高さ方向上方側に付勢している。
【００４５】
カム部材７２には、装置幅方向にカム部材７２を貫通する貫通孔７２ａが設けられている。そして、回動軸７８は、装置幅方向を軸線方向とし、ケース５６の側壁部５６ｂの貫通孔７０、カム部材７２の貫通孔７２ａ、ケース５６の側壁部５６ｃの貫通孔７０の順に挿入されている。すなわち、カム部材７２はケース５６に対して回動軸７８を支点として回動可能に取り付けられている。
【００４６】
また、カム部材７２は、ＡＤＦ１４の装置奥行き方向背面側端部の少なくとも一部に取り付けられる取付部７２ｂと、スライダ部材７４と係合するカム部７２ｃと、取付部７２ｂの装置奥行き方向背面側に設けられた姿勢保持部７２ｄとを備えている。スライダ部材７４の上部には、カム部７２ｃと係合可能な第１の接触面７４ａと第２の接触面７４ｂとを備えている。
【００４７】
本実施例において第１の接触面７４ａは装置奥行き方向前方側かつ装置高さ方向下方側に傾斜する面として構成されている。そして、第２の接触面７４ｂも装置奥行き方向前方側かつ装置高さ方向下方側に傾斜する面として構成されている。本実施例において第２の接触面７４ｂの傾斜角度は、第１の接触面７４ａよりも傾斜角度が大きく設定されている。本実施例では、カム部材７２の姿勢に応じてカム部７２ｃと接触する面が、第１の接触面７４ａと第２の接触面７４ｂとで切換えられる。
【００４８】
尚、本実施例において、ヒンジ部１９の構成は、ヒンジ部１８の構成からＡＤＦ１４の角度保持機能を省略した以外は同じ構成となっている。具体的には、ヒンジ部１９はヒンジ部１８と同様にＡＤＦ１４を回動させるとともにＡＤＦ１４を筐体１２に対して昇降動作をさせることが可能である。つまり、本実施例では、ヒンジ部１８にのみＡＤＦ１４の開き角を保持するためのトルクを発生する構成が設けられている。
【００４９】
＜＜＜ヒンジ部の昇降動作について＞＞＞
次いで図８ないし図１０を参照して、ヒンジ部１８の装置高さ方向における昇降動作について説明する。図８に示すように、ヒンジ部１８のケース５６は、筐体１２の装置奥行き方向背面側の端部に設けられた挿入部８０に挿入されている。そして、ケース本体５６ａは筐体１２の挿入部８０内に設けられた受け入れ部８１に相対移動可能に挿入されている。さらに、挿入部８０には、腕部６４と当接する被当接部８２、８２が設けられている。本実施例において被当接部８２、８２は装置幅方向において対向するように配置されている。そして、対向する被当接部８２と被当接部８２との間の距離は距離Ｌ１に設定されている。
【００５０】
また、本実施例において、腕部６４、６４が弾性変形しない状態における両腕部６４に設けられたリブ６６、６６の装置幅方向の距離は距離Ｌ２となるように設定されている。本実施例において、距離Ｌ２は距離Ｌ１よりも大きく設定されている。
【００５１】
図８において、挿入部８０の被当接部８２は、ケース５６の腕部６４においてリブ６６が形成されている位置よりも装置高さ方向上方側で当接している。そして、この状態では、ケース本体５６ａは、挿入部８０の受け入れ部８１に対してケース本体５６ａひいてはＡＤＦ１４の昇降方向である装置高さ方向において最下方に位置しており、図１に示すようにＡＤＦ１４が原稿台２２を覆っている状態である。
【００５２】
ここで、ＡＤＦ１４はカム部材７２に取り付けられており、カム部材７２は回動軸７８を介してケース本体５６ａに取り付けられている。このため、ＡＤＦ１４を装置高さ方向上方に持ち上げようとすると、ケース本体５６ａも装置高さ方向上方に持ち上げられる。その結果、ケース５６は挿入部８０に対して装置高さ方向上方側に移動する。
【００５３】
ケース５６を挿入部８０に対して装置高さ方向上方側に変位させると、腕部６４も装置高さ方向上方側に変位する。この動作に伴って、腕部６４における被当接部８２と当接する部位が腕部６４の自由端６４ａ側に変位する。
【００５４】
ここで、本実施例では距離Ｌ２＞距離Ｌ１の関係にあるので、腕部６４が被当接部８２に対して装置高さ方向上方側に変位し、リブ６６が被当接部８２と接触すると、被当接部８２によりリブ６６、ひいては腕部６４がケース本体５６ａ側に押圧される。そして、腕部６４の自由端６４ａ側がケース本体５６ａ側に弾性変形する（図９及び図１０参照）。
【００５５】
本実施例において、腕部６４、６４は、装置幅方向において距離Ｌ２と距離Ｌ１との差分に相当する長さ分、ケース本体５６ａ側に弾性変形させられる。これにより腕部６４、６４には被当接部８２、８２を押圧する押圧力が発生する。そして、この押圧力により、腕部６４の自由端６４ａ側は被当接部８２に押し付けられるので、腕部６４が挿入部８０内において被当接部８２に対して突っ張ることにより、ケース５６、ひいてはＡＤＦ１４の装置高さ方向における位置が保持される。
【００５６】
また、ケース５６を挿入部８０に対して装置高さ方向上方側にさらに変位させると、被当接部８２は、腕部６４の自由端６４ａ側に設けられた規制部６８と当接する。本実施例において規制部６８の装置幅方向における大きさは、腕部６４が装置幅方向に弾性変形した際、両腕部６４、６４に設けられた規制部６８、６８間の距離が距離Ｌ１よりも大きくなるように設定されている。つまり、規制部６８が被当接部８２と接触すると、規制部６８がケース５６の挿入部８０に対する装置高さ方向上方側への移動を規制する。したがって、規制部６８は、ケース５６が挿入部８０から抜け出ることを防止する。
【００５７】
上述したようにケース５６を挿入部８０に対して装置高さ方向上方側に変位させると、ＡＤＦ１４は原稿台２２を覆った状態（図１参照）から、原稿台２２に対する姿勢を維持したまま、装置高さ方向上方側にリフトアップする（図４参照）。
【００５８】
つまり、本実施例において、ＡＤＦ１４はケース５６を挿入部８０に対して相対移動させることにより装置高さ方向に上下動させることができる。また、本実施例において、カム部材７２はケース５６が挿入部８０に対して装置高さ方向上方側に変位した状態においても、回動軸７８を介してケース本体５６ａに対して回動可能であることから、ＡＤＦ１４はＡＤＦ１４が原稿台２２から離間した状態においても筐体１２に対して回動可能である。
【００５９】
したがって、例えば、ＡＤＦ１４を原稿載置面２３に対して開いた姿勢とし、原稿載置面２３に厚みのある原稿、例えば冊子やパスポート等を載置してＡＤＦ１４を閉じると、ＡＤＦ１４はリフトアップし、その位置を保持することができる。その結果、ＡＤＦ１４はこれら厚みのある原稿の被読取面と反対側を均一に押圧することができる。
【００６０】
尚、ケース５６、ひいてはＡＤＦ１４を装置高さ方向下方側に向けて押圧することにより、腕部６４における被当接部８２との当接部位がリブ６６から装置高さ方向上方側へ変位する。これにより、ケース５６（ＡＤＦ１４）は挿入部８０に対してケース５６ひいてはＡＤＦ１４の昇降方向である装置高さ方向における最下方に変位し、ＡＤＦ１４は原稿台２２を覆った状態（図１参照）となる。
【００６１】
＜＜＜角度保持手段におけるＡＤＦの開き角の保持について＞＞＞
次いで、図１１及び図１２を参照して角度保持手段５８におけるＡＤＦ１４の角度保持について説明する。図１１に示す状態はＡＤＦ１４が筐体１２に対して閉じた姿勢（図１参照）を取った際における角度保持手段５８の状態を示している。この状態では、カム部材７２のカム部７２ｃはスライダ部材７４の第１の接触面７４ａと係合している。そして、スライダ部材７４は付勢部材７６により装置高さ方向上方側に付勢されているので、カム部材７２もスライダ部材７４を介して付勢部材７６により装置高さ方向上方側に付勢されている。
【００６２】
そして、ＡＤＦ１４を筐体１２に対して閉じた状態（図１参照）から筐体１２に対して開いた状態（図２及び図３参照）へ切換えるべく、ＡＤＦ１４をヒンジ部１８、１９を支点に装置背面側に回動させると、カム部材７２のカム部７２ｃは、回動軸７８を中心に図１１における反時計回り方向に回動する。
【００６３】
この動作に伴い、カム部７２ｃはスライダ部材７４の第１の接触面７４ａ上を第２の接触面７４ｂ側に向けて摺動する。そして、ＡＤＦ１４の開き角がさらに大きくなると、カム部７２ｃは第２の接触面７４ｂと接触し、第２の接触面７４ｂ上を装置奥行き方向前方側に向けて摺動する。
【００６４】
この動作の際、付勢部材７６は、スライダ部材７４を介してカム部材７２を付勢しているので、付勢部材７６の付勢力は、ＡＤＦ１４を開く際の補助力として作用している。つまり、ＡＤＦ１４の自重よりも小さな力でＡＤＦ１４を回動させることができる。
【００６５】
そして、ＡＤＦ１４を所定の開き角まで開くと、図１２に示すようにカム部７２ｃは第２の接触面７４ｂと係合した状態となる。この状態においても、付勢部材７６の付勢力はカム部材７２をさらに図１２における反時計回り方向に回動させようとする。
【００６６】
しかし、カム部材７２の姿勢保持部７２ｄがケース本体５６ａの背面側端部の上部と係合するので、姿勢保持部７２ｄはカム部材７２の反時計回り方向への回動を規制する。そして、付勢部材７６の付勢力により姿勢保持部７２ｄがケース本体５６ａの背面側端部の上部を押圧する状態となるので、カム部材７２は図１２の姿勢を保持する。すなわち、角度保持手段５８は、ＡＤＦ１４の開き角を保持し、ＡＤＦ１４が原稿台２２に対して開いた姿勢（図２及び図３参照）を保持する。
【００６７】
＜＜＜実施例の変更例＞＞＞
（１）本実施例では、腕部６４において装置高さ方向に延設されたリブ６６における装置幅方向における厚みを一定としたが、この構成に代えて、腕部６４においてリブの厚みを自由端側に向かうにつれて増す構成としてもよい。具体的には、装置高さ方向下方側に向かって連続的にリブの厚みが増す構成や、図１３にしめすように装置高さ方向下方側に向かって階段状にリブの厚みが増すように腕部６４に階段状のリブ８４を設ける構成としてもよい。この様に構成することでＡＤＦ１４をリフトアップさせた際の保持位置を増やすことができ、より多様な原稿の厚みに対応することができる。
（２）本実施例では、ケース５６において装置幅方向両側にそれぞれ腕部６４、６４を設ける構成としたが、この構成に代えて、いずれか一方の側にのみ腕部６４を設ける構成としてもよい。
（３）本実施例では、ケース５６において装置幅方向両側にそれぞれ腕部６４、６４を設ける構成としたが、この構成に代えて、ケース５６の装置奥行き方向において前面側及び背面側の少なくとも一方に腕部６４を設ける構成としてもよい。
【００６８】
（４）本実施例において、筐体１２には、角度保持機能を有するヒンジ部１８と、角度保持機能を有していないヒンジ部１９とをそれぞれ１つずつ備える構成としたが、この構成に代えて角度保持機能を有するヒンジ部１８を少なくとも２つ以上備える構成としてもよく、あるいは角度保持機能を有していないヒンジ部１９を少なくとも２つ以上備える構成としてもよい。
（５）本実施例において、筐体１２に対して回動可能な開閉体としてＡＤＦ１４を取り付ける構成としたが、この構成に代えて、カバー部材を筐体１２に回動可能に取り付ける構成としてもよい。
（６）本実施例において腕部６４はケース本体５６ａと樹脂材料で一体的に形成される構成としたが、この構成に代えて、腕部６４とケース本体５６ａとを別体で構成してもよい。
【００６９】
上記説明をまとめると、画像読取装置１０は、原稿を載置する原稿載置面２３を形成する原稿台２２と、原稿台２２の上面である原稿載置面２３を開閉するＡＤＦ１４と、ＡＤＦ１４の開き角を保持する角度保持手段５８を備えるとともに、原稿載置面２３に対してＡＤＦ１４を昇降させるヒンジ部１８とを備えている。ヒンジ部１８は、内部に角度保持手段５８を備えるとともに、原稿台２２の側に設けられた挿入部８０に対し、ＡＤＦ１４の昇降方向である装置高さ方向に変位可能に挿入されるケース５６を有している。ケース５６は、装置高さ方向成分を含む方向に延設されるとともに装置高さ方向と交差する方向である装置幅方向に弾性変形可能な腕部６４を備え、腕部６４が挿入部８０に設けられた被当接部８２に対し弾性的に当接して、ＡＤＦの装置高さ方向における位置が保持される。
【００７０】
上記構成によれば、ヒンジ部１８はケース５６を有し、ケース５６は、装置高さ方向成分を含む方向に延設されるとともに装置幅方向に弾性変形可能な腕部６４を備え、腕部６４が挿入部８０に設けられた被当接部８２に対し弾性的に当接して、ＡＤＦ１４の装置高さ方向における位置が保持される構成であるので、ＡＤＦ１４（ケース５６）の昇降位置（リフトアップ位置）を保持する構成を、構造簡単にして低コストに得ることができる。
【００７１】
また、画像読取装置１０において、腕部６４に、装置高さ方向成分を含む方向に沿ってリブ６６が形成され、リブ６６が被当接部８２に当接して腕部６４が弾性変形する。この構成によれば、リブ６６の厚みを調整することで、腕部６４の弾性変形量を容易に調整することができ、ひいてはＡＤＦ１４（ケース５６）を保持する為の保持力を容易に調整することができる。
【００７２】
腕部６４は、先端が自由端６４ａとして形成されるとともに、ＡＤＦ１４が上昇方向に変位するに従って被当接部８２と当接する部位が自由端６４ａに向かい、リブ６６は、ＡＤＦ１４が上昇方向に変位するに従って被当接部８２に当接する部位の装置幅方向の厚みが増す形状を有する。
【００７３】
ＡＤＦ１４が上昇方向に変位する（リフトアップする）と、腕部６４において被当接部８２と当接する部位は、腕部６４の自由端６４ａ側に移動する為、腕部６４が被当接部８２に弾接する際の弾接力が小さくなり、ＡＤＦ１４を保持し難くなる。しかしながら上記構成によれば、リブ６６は、ＡＤＦ１４が上昇方向に変位するに従って被当接部８２に当接する部位の装置幅方向の厚みが増す形状を有するので、ＡＤＦ１４が上昇方向に変位するに従って腕部６４の弾性変形量を確保することができ、ＡＤＦ１４を確実に保持することができる。
【００７４】
また、画像読取装置１０において、腕部６４に、ケース５６の挿入部８０からの抜け出しを規制する規制部６８が設けられている。この構成によれば、ケース５６即ちＡＤＦ１４の、原稿台２２からの意図しない脱落を防止できる。
【００７５】
また、画像読取装置１０において、ＡＤＦ１４は、回動軸７８を中心に回動することにより原稿台２２の上面である原稿載置面２３を開閉し、腕部６４は、ケース５６において、回動軸７８の軸線方向（本実施形態ではＹ軸方向）の側部に設けられている。
【００７６】
上記構成によれば、ＡＤＦ１４は、回動軸７８を中心に回動することにより原稿台２２の上面である原稿載置面２３を開閉し、腕部６４は、ケース５６において、回動軸７８の軸線方向（本実施形態ではＹ軸方向）の側部に設けられているので、原稿台２２の側、すなわち筐体１２においてヒンジ部１８を挿入する挿入部８０の、軸線方向と直交する方向（本実施形態ではＸ軸方向）である装置奥行き方向の大型化を抑制できる。その結果、原稿台２２の、装置奥行き方向の大型化を抑制できる。
【００７７】
また、画像読取装置１０において、腕部６４は、ケース５６において回動軸７８の軸線方向の両側部に設けられている。この構成によれば、腕部６４の、挿入部８０における回転を抑制でき、ひいては原稿台２２に対するＡＤＦ１４のがたつきを抑制できる。
【００７８】
また、画像読取装置１０において、腕部６４は、ケース５６と樹脂材料によって一体的に形成されている。この構成によれば、腕部６４とケース５６を低コストに構成できる。
【００７９】
また、本発明は上記実施例に限定されることなく、特許請求の範囲に記載した発明の範囲内で、種々の変形が可能であり、それらも本発明の範囲内に含まれるものであることは言うまでもない。
【符号の説明】
【００８０】
１０…画像読取装置、１２…筐体、１２ａ…上面、１２ｂ…底面、１４…ＡＤＦ、１６…原稿台、１８、１９…ヒンジ部、２０…操作部、２２…原稿台、２３…原稿載置面、２４…原稿読取ユニット、２６…原稿押さえ部材、２８…原稿支持トレイ、３０…原稿搬送部、３２…原稿排出トレイ、３４…原稿読取ユニット駆動手段、３６…電源部、３８…制御部、４０…ガイドレール、４２…駆動モーター、４４…駆動力伝達手段、４６…駆動プーリー、４８…従動プーリー、５０…歯付きベルト、５２、５４…信号伝送用ケーブル、５６…ケース、５６ａ…ケース本体、５６ｂ、５６ｃ…側壁部、５８…角度保持手段、６４…腕部、６４ａ…自由端、６６…リブ、６８…規制部、７０、７２ａ…貫通孔、７２…カム部材、７２ｂ…取付部、７２ｃ…カム部、７２ｄ…姿勢保持部、７４…スライダ部材、７４ａ…第１の接触面、７４ｂ…第２の接触面、７６…付勢部材、７８…回動軸、８０…挿入部、８１…受け入れ部、８２…被当接部、８４…リブ、Ｌ１、Ｌ２…距離
【図１】
0006579321.tif 000002
【図２】
0006579321.tif 000003
【図３】
0006579321.tif 000004
【図４】
0006579321.tif 000005
【図５】
0006579321.tif 000006
【図６】
0006579321.tif 000007
【図７】
0006579321.tif 000008
【図８】
0006579321.tif 000009
【図９】
0006579321.tif 000010
【図１０】
0006579321.tif 000011
【図１１】
0006579321.tif 000012
【図１２】
0006579321.tif 000013
【図１３】
0006579321.tif 000014